(57)【特許請求の範囲】
【請求項１】
光源と、前記光源からの光が入射する第１の光学ブロックと、この第１の光学ブロックからの光が入射する第２の光学ブロックと、前記第１及び前記第２の光学ブロックの光学的位置を調整する位置調整手段とを有し、
前記第１の光学ブロックは、第１の映像信号に応じて前記光源からの入射光を光変調し変調光を出射する第１の光変調手段と、前記入射光の一部を反射した反射光を前記光学的位置を調整するための基準光として前記第２の光学ブロックに出射する基準光出射手段とを備え、
前記第２の光学ブロックは、第２の映像信号に応じて前記変調光を光変調する第２の光変調手段と、前記第２の光変調手段の変調領域の外側領域において前記基準光を受光する基準光受光部とを備え、
前記位置調整手段は、前記基準光受光部が出力する受光信号により前記第１及び前記第２の光学ブロックの光学的位置のずれを検出する位置ずれ検出部と、前記光学的位置のずれに応じて前記第１又は前記第２の映像信号の位相を調整することにより前記第１及び前記第２の光学ブロックの光学的位置を調整する位相補正部とを備えたことを特徴とする位置調整装置。
【請求項２】
請求項１に記載の位置調整装置を備え、
前記第１及び前記第２の映像信号は、それぞれ、色相信号及び輝度信号であり、
前記第１の光変調手段は、前記色相信号に基づいて色相を制御するカラー液晶素子を備え、
前記第２の光変調手段は、前記輝度信号に基づいて輝度を制御するモノクローム液晶素子を備えたことを特徴とする表示装置。
【請求項３】
前記第１の光学ブロックは、前記入射光の偏光状態に応じた方向に前記入射光を出射する偏光ビームスプリッタを備え、
前記第１の光変調手段は、前記偏光ビームスプリッタから出射される光を受光する位置に設けられ、
前記偏光ビームスプリッタは、前記入射光が入射される入射面と、この入射面に直交し前記第１の光変調手段と対向する対向面と、前記入射面に対向する入射対向面と、前記入射光を反射して前記第１の光変調手段に入射させ、前記第１の光変調手段からの反射光を透過させる反射透過面と、透過された前記反射光を出射する出射面とを備えたことを特徴とする請求項２に記載の表示装置。
【請求項４】
前記基準光出射手段は、前記反射透過面からの光を反射する反射部と、前記対向面と前記反射部との間に設けられ前記反射透過面からの光の偏光を９０度回転する位相板とを備えたことを特徴とする請求項３に記載の表示装置。
【請求項５】
前記基準光出射手段は、前記入射対向面からの光を反射する反射部と、前記入射面上の前記反射部に対向する領域に設けられ前記入射光の偏光を９０度回転する第１の位相板と、前記入射対向面と前記反射部との間に設けられ前記反射透過面を透過した前記入射光の偏光を４５度回転する第２の位相板とを備えたことを特徴とする請求項３に記載の表示装置。
【請求項６】
前記第１の光変調手段は、長方形の画素領域を備え、
前記基準光出射手段は、前記長方形の４隅のうち少なくとも１隅の所定数の画素で形成されたことを特徴とする請求項２又は請求項３に記載の表示装置。
【請求項７】
前記第２の光学ブロックは、前記変調光を入射して前記変調光の偏光状態に応じた方向に前記変調光を出射する偏光ビームスプリッタを備え、
前記第２の光変調手段は、前記偏光ビームスプリッタから出射される光を受光する位置に設けられ、
前記偏光ビームスプリッタは、前記変調光が入射される入射面と、この入射面に直交し前記第２の光変調手段と対向する対向面と、前記入射面に対向する入射対向面と、前記変調光を反射して前記第２の光変調手段に入射させ、前記第２の光変調手段からの反射光を透過させる反射透過面と、透過された前記反射光を出射する出射面とを備えたことを特徴とする請求項２から請求項６までのいずれか１項に記載の表示装置。
【請求項８】
前記基準光受光部は、前記対向面上に設けられたことを特徴とする請求項７に記載の表示装置。
【請求項９】
前記基準光受光部は、前記第２の光変調手段の外縁の所定領域内に設けられたことを特徴とする請求項７に記載の表示装置。
【請求項１０】
前記出射面及び前記対向面の少なくとも一方の面上に設けられ前記基準光を透過させる透過部を備え、
前記透過部は、前記基準光を入射する入射面と、前記基準光を出射する出射面とを有し、
前記基準光受光部は、前記透過部の前記出射面側に設けられたことを特徴とする請求項７に記載の表示装置。
【請求項１１】
前記入射面上の前記基準光の入射領域に設けられ前記変調光の偏光を９０度回転する位相板を備え、
前記基準光受光部は、前記入射対向面上の前記位相板に対向する領域に設けられたことを特徴とする請求項７に記載の表示装置。
【請求項１２】
前記入射面は、前記変調光の偏光が９０度回転された基準光を入射し、
前記基準光受光部は、前記入射対向面上に設けられたことを特徴とする請求項７に記載の表示装置。
【発明の詳細な説明】
【技術分野】
【０００１】
本発明は、例えばカラーの表示素子とモノクロームの表示素子とを組み合わせた際に生じる光学的な位置ずれを調整する位置調整装置及びそれを備えた表示装置に関する。
【背景技術】
【０００２】
従来、この種の表示装置としては、図１１に示すような投射型表示装置が知られている（例えば、特許文献１参照。）。
【０００３】
図１１に示された従来の投射型表示装置２００は、光源２１０と、光源２１０から入射した光の全波長領域の輝度を変調する輝度変調ライトバルブ２２０と、輝度変調ライトバルブ２２０から入射した光の波長領域のうちＲＧＢ３原色の光をそれぞれ変調する色変調部２３０と、色変調部２３０から入射した光をスクリーン２５０に投射する投射部２４０とを有し、色変調部２３０は、３枚の色変調ライトバルブ２３０Ｒ、２３０Ｇ及び２３０Ｂと、２枚のダイクロイックミラー２３１ａ及び２３１ｂと、３枚のミラー２３２ａ、２３２ｂ及び２３２ｃと、ダイクロイックプリズム２３３とを備えている。
【０００４】
この構成により、従来の投射型表示装置２００は、光源２１０からの光の全波長領域の輝度を輝度変調ライトバルブ２２０により輝度変調し、輝度変調した光を赤色、緑色及び青色のＲＧＢ３原色に分光した後に、色変調ライトバルブ２３０Ｒ、２３０Ｇ及び２３０ＢがそれぞれＲＧＢ３原色の光を色変調する。その結果、従来の投射型表示装置２００は、輝度ダイナミックレンジ及び階調数の拡大を実現し、画質を向上することができると特許文献１には記載されている。
【０００５】
【特許文献１】特開２００５−１８１６３９号公報
【発明の開示】
【発明が解決しようとする課題】
【０００６】
しかしながら、従来の投射型表示装置２００では、色変調部２３０内において色変調ライトバルブ２３０Ｒ、２３０Ｇ及び２３０Ｂの互いの位置関係を所望の精度で維持することができるが、色変調ライトバルブ２３０Ｒ、２３０Ｇ及び２３０Ｂと輝度変調ライトバルブ２２０との間は空間的に離隔しているので、例えば温度変化により両者間に位置ずれが生じ易く、位置ずれが生じた場合は表示画像の画質劣化するという問題があった。
【０００７】
本発明は、従来の問題を解決するためになされたものであり、従来のものよりも表示画像の画質を向上させることができる表示装置を提供することを目的とする。
【課題を解決するための手段】
【０００８】
本発明の位置調整装置は、光源と、前記光源からの光が入射する第１の光学ブロックと、この第１の光学ブロックからの光が入射する第２の光学ブロックと、前記第１及び前記第２の光学ブロックの光学的位置を調整する位置調整手段とを有し、前記第１の光学ブロックは、第１の映像信号に応じて前記光源からの入射光を光変調し変調光を出射する第１の光変調手段と、前記入射光の一部を反射した反射光を前記光学的位置を調整するための基準光として前記第２の光学ブロックに出射する基準光出射手段とを備え、前記第２の光学ブロックは、第２の映像信号に応じて前記変調光を光変調する第２の光変調手段と、前記第２の光変調手段の変調領域の外側領域において前記基準光を受光する基準光受光部とを備え、前記位置調整手段は、前記基準光受光部が出力する受光信号により前記第１及び前記第２の光学ブロックの光学的位置のずれを検出する位置ずれ検出部と、前記光学的位置のずれに応じて前記第１又は前記第２の映像信号の位相を調整することにより前記第１及び前記第２の光学ブロックの光学的位置を調整する位相補正部とを備えた構成を有している。
【０００９】
この構成により、本発明の位置調整装置は、第１の光学ブロックと第２の光学ブロックとの間において光学的な位置ずれが生じた場合でも、位置調整手段が両者間の光学的位置を調整するので、光学的な位置ずれによる表示画像の画質劣化を防止することができ、従来のものよりも表示画像の画質を向上させることができる。また、この構成により、本発明の位置調整装置は、動作中においても光学的な位置ずれを調整することができる。
【００１０】
また、本発明の表示装置は、位置調整装置を備え、前記第１及び前記第２の映像信号は、それぞれ、色相信号及び輝度信号であり、前記第１の光変調手段は、前記色相信号に基づいて色相を制御するカラー液晶素子を備え、前記第２の光変調手段は、前記輝度信号に基づいて輝度を制御するモノクローム液晶素子を備えた構成を有している。
【００１１】
この構成により、本発明の表示装置は、モノクローム用液晶素子が有する輝度画素をカラー液晶素子が有する色相画素よりも細かくすることによりカラー表示画像の高解像度化を図ることができるとともに、光学的な位置ずれによるカラー表示画像の画質劣化を防止することができ、従来のものよりもカラー表示画像の画質を向上させることができる。
【００１２】
さらに、本発明の表示装置は、前記第１の光学ブロックは、前記入射光の偏光状態に応じた方向に前記入射光を出射する偏光ビームスプリッタを備え、前記第１の光変調手段は、前記偏光ビームスプリッタから出射される光を受光する位置に設けられ、前記偏光ビームスプリッタは、前記入射光が入射される入射面と、この入射面に直交し前記第１の光変調手段と対向する対向面と、前記入射面に対向する入射対向面と、前記入射光を反射して前記第１の光変調手段に入射させ、前記第１の光変調手段からの反射光を透過させる反射透過面と、透過された前記反射光を出射する出射面とを備えた構成を有している。
【００１３】
この構成により、本発明の表示装置は、偏光ビームスプリッタにより第１の光学ブロック内の光路を任意に設定することができ、第１の光変調手段からの変調光を第２の光学ブロックに出射するよう導くことができる。
【００１６】
さらに、本発明の表示装置は、前記基準光出射手段は、前記反射透過面からの光を反射する反射部と、前記対向面と前記反射部との間に設けられ前記反射透過面からの光の偏光を９０度回転する位相板とを備えた構成を有している。
【００１７】
この構成により、本発明の表示装置は、偏光ビームスプリッタの入射面に入射される光を基準光とすることができるので、第１の光変調手段からの出射光を基準光とする必要がなくなり、第１の光変調手段からの出射光を基準光とする場合よりも光の利用効率を向上することができる。
【００１８】
さらに、本発明の表示装置は、前記基準光出射手段は、前記入射対向面からの光を反射する反射部と、前記入射面上の前記反射部に対向する領域に設けられ前記入射光の偏光を９０度回転する第１の位相板と、前記入射対向面と前記反射部との間に設けられ前記反射透過面を透過した前記入射光の偏光を４５度回転する第２の位相板とを備えた構成を有している。
【００１９】
この構成により、本発明の表示装置は、偏光ビームスプリッタの入射面に入射される光を基準光とすることができるので、第１の光変調手段からの出射光を基準光とする必要がなくなり、第１の光変調手段からの出射光を基準光とする場合よりも光の利用効率を向上することができる。
【００２０】
さらに、本発明の表示装置は、前記第１の光変調手段は、長方形の画素領域を備え、前記基準光出射手段は、前記長方形の４隅のうち少なくとも１隅の所定数の画素で形成された構成を有している。
【００２１】
この構成により、本発明の表示装置は、第１の光変調手段からの出射光を基準光として、光学的な位置ずれによる表示画像の画質劣化を防止することができる。
【００２４】
さらに、本発明の表示装置は、前記第２の光学ブロックは、前記変調光を入射して前記変調光の偏光状態に応じた方向に前記変調光を出射する偏光ビームスプリッタを備え、前記第２の光変調手段は、前記偏光ビームスプリッタから出射される光を受光する位置に設けられ、前記偏光ビームスプリッタは、前記変調光が入射される入射面と、この入射面に直交し前記第２の光変調手段と対向する対向面と、前記入射面に対向する入射対向面と、前記変調光を反射して前記第２の光変調手段に入射させ、前記第２の光変調手段からの反射光を透過させる反射透過面と、透過された前記反射光を出射する出射面とを備えた構成を有している。
【００２５】
この構成により、本発明の表示装置は、偏光ビームスプリッタにより第２の光学ブロック内の光路を任意に設定することができ、第１の光学ブロックからの変調光を第２の光変調手段に導くことができる。
【００２６】
さらに、本発明の表示装置は、前記基準光受光部は、前記対向面上に設けられた構成を有している。
【００２７】
この構成により、本発明の表示装置は、基準光受光部が、偏光ビームスプリッタの対向面上で基準光を受光することにより、第２の光学ブロックにおいて光学的な位置ずれを検出することができるので、光学的な位置ずれによる表示画像の画質劣化を防止することができる。
【００２８】
さらに、本発明の表示装置は、前記基準光受光部は、前記第２の光変調手段の外縁の所定領域内に設けられた構成を有している。
【００２９】
この構成により、本発明の表示装置は、基準光受光部が、第２の光変調手段の外縁の所定領域内で基準光を受光することにより、第２の光学ブロックにおいて光学的な位置ずれを検出することができるので、光学的な位置ずれによる表示画像の画質劣化を防止することができる。
【００３０】
さらに、本発明の表示装置は、前記出射面及び前記対向面の少なくとも一方の面上に設けられ前記基準光を透過させる透過部を備え、前記透過部は、前記基準光を入射する入射面と、前記基準光を出射する出射面とを有し、前記基準光受光部は、前記透過部の前記出射面側に設けられた構成を有している。
【００３１】
この構成により、本発明の表示装置は、偏光ビームスプリッタの対向面側に基準光受光部を設ける必要がなくなるので、第２の光変調手段の設置の自由度を大きくすることができる。
【００３２】
さらに、本発明の表示装置は、前記入射面上の前記基準光の入射領域に設けられ前記変調光の偏光を９０度回転する位相板を備え、前記基準光受光部は、前記入射対向面上の前記位相板に対向する領域に設けられた構成を有している。
【００３３】
この構成により、本発明の表示装置は、偏光ビームスプリッタの対向面側に基準光受光部を設ける必要がなくなるので、第２の光変調手段の設置の自由度を大きくすることができる。
【００３４】
さらに、本発明の表示装置は、前記入射面は、前記変調光の偏光が９０度回転された基準光を入射し、前記基準光受光部は、前記入射対向面上に設けられた構成を有している。
【００３５】
この構成により、本発明の表示装置は、偏光ビームスプリッタの対向面側に基準光受光部を設ける必要がなくなるので、第２の光変調手段の設置の自由度を大きくすることができる。
【発明の効果】
【００３６】
本発明は、従来のものよりも表示画像の画質を向上させることができるという効果を有する表示装置を提供することができるものである。
【発明を実施するための最良の形態】
【００３７】
以下、本発明の実施の形態について図面を用いて説明する。なお、本発明の位置調整装置及び表示装置を投射型表示装置に適用する例を挙げて説明する。
【００３８】
（第１の実施の形態）
まず、本発明の第１の実施の形態に係る投射型表示装置の構成について図１を用いて説明する。図１は、本実施の形態に係る投射型表示装置１００の構成を示す概念図である。
【００３９】
図１に示すように、本実施の形態に係る投射型表示装置１００は、光源１０と、第１の光学ブロック２０と、第２の光学ブロック３０と、第１の光学ブロック２０と第２の光学ブロック３０とを光学的に結合する結合用光学系１０１と、スクリーン１０３に映像を投射する投射レンズ１０２と、第１の光学ブロック２０及び第２の光学ブロック３０に対する信号を制御する信号制御部１１０とを備えている。なお、第１の光学ブロック２０、第２の光学ブロック３０及び信号制御部１１０は、本発明の位置調整装置を構成している。
【００４０】
光源１０は、白色光を発する光源ランプや、この光源ランプからの光を所望の方向に導くリフレクタを備えている。
【００４１】
第１の光学ブロック２０は、白色光から青色光成分（Ｂ光）と黄色光成分とに分離するクロスダイクロイックミラー２１と、光路を設定する複数の偏光ビームスプリッタ２２（２２ａ〜２２ｅを含む。）と、黄色光成分を赤色光成分（Ｒ光）と緑色光成分（Ｇ光）とに分離するダイクロイックミラー２３と、Ｒ光を光変調するＲ用液晶パネル２４と、Ｇ光を光変調するＧ用液晶パネル２５と、Ｂ光を光変調するＢ用液晶パネル２６と、変調されたＲ光、Ｇ光及びＢ光を合成するクロスダイクロイックプリズム２７とを備えている。
【００４２】
クロスダイクロイックミラー２１は、Ｂ光を反射するダイクロイックミラーと黄色光を反射するダイクロイックミラーとが互いに直交してＸ型に配置され、Ｂ光を偏光ビームスプリッタ２２ａに、黄色光を偏光ビームスプリッタ２２ｂにそれぞれ出力するようになっている。
【００４３】
複数の偏光ビームスプリッタ２２は、各色の光の光路を設定するように配置されている。すなわち、偏光ビームスプリッタ２２ａは、入射されたＢ光を偏光ビームスプリッタ２２ｅに出射し、偏光ビームスプリッタ２２ｂは、入射された黄色光をダイクロイックミラー２３側に出射するようになっている。また、偏光ビームスプリッタ２２ｃは、Ｒ光をＲ用液晶パネル２４に出射するとともにＲ用液晶パネル２４で反射されたＲ光をクロスダイクロイックプリズム２７に出射するようになっている。また、偏光ビームスプリッタ２２ｄは、Ｇ光をＧ用液晶パネル２５に出射するとともにＧ用液晶パネル２５で反射されたＧ光をクロスダイクロイックプリズム２７に出射するようになっている。また、偏光ビームスプリッタ２２ｅは、Ｂ光をＢ用液晶パネル２６に出射するとともにＢ用液晶パネル２６で反射されたＢ光をクロスダイクロイックプリズム２７に出射するようになっている。
【００４４】
ダイクロイックミラー２３は、入射された黄色光成分のうち、Ｇ光を反射して偏光ビームスプリッタ２２ｄに出射し、Ｒ光を透過して偏光ビームスプリッタ２２ｃに出射するようになっている。
【００４５】
Ｒ用液晶パネル２４、Ｇ用液晶パネル２５及びＢ用液晶パネル２６は、それぞれ、例えば反射型の液晶パネルで構成され、色相信号変換部１１２（後述）からの色相信号に基づいてＲ光、Ｇ光及びＢ光を変調するようになっている。なお、Ｒ用液晶パネル２４、Ｇ用液晶パネル２５及びＢ用液晶パネル２６は、本発明の第１の光変調手段及びカラー液晶素子を構成している。
【００４６】
クロスダイクロイックプリズム２７は、Ｒ用液晶パネル２４、Ｇ用液晶パネル２５及びＢ用液晶パネル２６によってそれぞれ変調されたＲ光、Ｇ光及びＢ光を合成するようになっている。なお、クロスダイクロイックプリズム２７によって合成された変調光を以下「色相変調光」という。この色相変調光は、特許請求の範囲に記載の第１の光学ブロックから第２の光学ブロックに出射される変調光に対応するものである。
【００４７】
第２の光学ブロック３０は、入射された色相変調光をモノクローム用液晶パネル３２に出射する偏光ビームスプリッタ３１と、色相変調光を輝度変調するモノクローム用液晶パネル３２と、色相変調光の一部を受光する画像センサ３３（３３ａ〜３３ｄを含む。）とを備えている。ここで、図１においては、画像センサ３３ｂ及び３３ｃの図示は省略している。なお、モノクローム用液晶パネル３２を構成する輝度画素は、Ｒ用液晶パネル２４、Ｇ用液晶パネル２５及びＢ用液晶パネル２６をそれぞれ構成する色相画素よりも細かい構成となっている。具体的には、１個の色相画素に対して例えば１６個の輝度画素が対応する構成となっており、カラー表示画像の高解像度化が図れる構成となっている。
【００４８】
偏光ビームスプリッタ３１は、色相変調光及び基準光が入射される入射面３１ａと、この入射面３１ａに直交しモノクローム用液晶パネル３２と対向する対向面３１ｂと、入射面３１ａに対向する入射対向面３１ｃと、色相変調光を反射してモノクローム用液晶パネル３２に入射させ、モノクローム用液晶パネル３２からの反射光を透過させる反射透過面３１ｄと、透過された反射光を出射する出射面３１ｅとを備えている。
【００４９】
モノクローム用液晶パネル３２は、例えば反射型の液晶パネルで構成され、輝度信号変換部１１１（後述）からの輝度信号に基づいて色相変調光を輝度変調するようになっている。なお、図示を省略したが、モノクローム用液晶パネル３２は、偏光ビームスプリッタ３１に固定されている。また、モノクローム用液晶パネル３２は、本発明の第２の光変調手段及びモノクローム液晶素子を構成している。
【００５０】
画像センサ３３は、例えばＣＣＤ（Ｃｈａｒｇｅ  Ｃｏｕｐｌｅｄ  Ｄｅｖｉｃｅ：電荷結合素子）で構成されている。なお、画像センサ３３は、本発明の基準光受光部を構成している。
【００５１】
結合用光学系１０１は、例えば複数のレンズで構成され、第１の光学ブロック２０と第２の光学ブロック３０とを光学的に結合するようになっている。
【００５２】
投射レンズ１０２は、例えば複数のレンズで構成され、第２の光学ブロック３０からの光による映像をスクリーン１０３に投射するようになっている。
【００５３】
信号制御部１１０は、入力されたＲＧＢ信号を輝度信号に変換する輝度信号変換部１１１と、入力されたＲＧＢ信号を色相信号に変換する色相信号変換部１１２と、第１の光学ブロック２０と第２の光学ブロック３０との間において光学的な位置ずれ（以下、単に「光学ブロックの位置ずれ」という。）を検出する位置ずれ検出部１１３と、位置ずれ検出部１１３の検出結果に応じて色相信号変換部１１２から出力される色相信号の位相を補正する位相補正部１１４とを備えている。
【００５４】
輝度信号変換部１１１は、入力されたＲＧＢ信号を輝度信号に変換し、モノクローム用液晶パネル３２に出力するようになっている。
【００５５】
色相信号変換部１１２は、入力されたＲＧＢ信号を色相信号に変換して、Ｒ用色相信号、Ｇ用色相信号及びＢ用色相信号をＲ用液晶パネル２４、Ｇ用液晶パネル２５及びＢ用液晶パネル２６にそれぞれ出力するようになっている。
【００５６】
位置ずれ検出部１１３は、画像センサ３３の出力に基づき、光学ブロックの位置ずれを検出するようになっている。
【００５７】
位相補正部１１４は、位置ずれ検出部１１３から検出データを入力し、その検出データに応じて色相信号変換部１１２から出力される色相信号の水平位相又は垂直位相を補正することにより、光学ブロックの位置ずれを補正するようになっている。
【００５８】
なお、画像センサ３３、位置ずれ検出部１１３及び位相補正部１１４は、本発明の位置調整手段を構成している。また、位置ずれ検出部１１３及び位相補正部１１４は、本発明の位置調整部を構成している。
【００５９】
次に、光学ブロックの位置ずれを補正するための構成について詳細に説明する。
【００６０】
まず、偏光ビームスプリッタ３１の対向面３１ｂに照射される色相変調光の領域について説明する。図２は、モノクローム用液晶パネル３２側から見たときの対向面３１ｂを示す図である。ただし、分かりやすく説明するため、画像センサ３３の図示は省略している。
【００６１】
図２に示すように、対向面３１ｂにおいて、色相変調光の照射領域３５は、モノクローム用液晶パネル３２の受光面を対向面３１ｂに投影した投影領域３６を含む構成となっている。この構成は、例えば結合用光学系１０１が入力された色相変調光を拡大して偏光ビームスプリッタ３１の入射面３１ａに照射し、この光を反射透過面３１ｄが対向面３１ｂに反射することにより実現できる。また、Ｒ用液晶パネル２４、Ｇ用液晶パネル２５及びＢ用液晶パネル２６のアスペクト比を例えば４：３とし、モノクローム用液晶パネル３２のアスペクト比を例えば１６：９とすること、又はその逆のアスペクト比とすることにより前述の構成が実現できる。
【００６２】
次に、Ｒ用液晶パネル２４、Ｇ用液晶パネル２５及びＢ用液晶パネル２６から画像センサ３３に照射される基準光について説明する。ここでは、Ｒ用液晶パネル２４を例に挙げて説明する。図３は、偏光ビームスプリッタ２２ｃ（図１参照）側から見たＲ用液晶パネル２４を示している。
【００６３】
図３に示すように、Ｒ用液晶パネル２４は、長方形状に配列された複数の画素を備え、長方形の４隅において所定数の画素で構成されたコーナー画素２４ａ〜２４ｄを含んでいる。同様に、図３において括弧内に符号を示したが、Ｇ用液晶パネル２５及びＢ用液晶パネル２６もコーナー画素２５ａ〜２５ｄ及び２６ａ〜２６ｄをそれぞれ含んでいる。
【００６４】
本実施の形態においては、コーナー画素２４ａ〜２４ｄ、２５ａ〜２５ｄ及び２６ａ〜２６ｄからの光を光学ブロックの位置ずれを補正するための基準光としている。なお、前述のように、結合用光学系１０１によって色相変調光が拡大される構成となっているので、モノクローム用液晶パネル３２の受光面に相当する領域は、破線で示した領域に該当する。また、コーナー画素２４ａ〜２４ｄ、２５ａ〜２５ｄ及び２６ａ〜２６ｄは、本発明の基準光出射手段を構成している。
【００６５】
次に、画像センサ３３の配置位置について説明する。図４は、モノクローム用液晶パネル３２側から見たときの対向面３１ｂを示す図である。
【００６６】
図４に示すように、４つの画像センサ３３ａ〜３３ｄは、それぞれ、コーナー画素２４ａ〜２４ｄ、２５ａ〜２５ｄ及び２６ａ〜２６ｄ（図３参照）からの光を含む領域に設けられている。したがって、光学ブロックの位置ずれが生じた場合、画像センサ３３は、その位置ずれ量を示す信号を位置ずれ検出部１１３に出力し、位置ずれ検出部１１３は、光学ブロックの位置ずれが何画素分生じたかを検出することができる。
【００６７】
次に、本実施の形態に係る投射型表示装置１００の動作について、図１〜４を用いて説明する。
【００６８】
まず、光源１０によって、白色光がクロスダイクロイックミラー２１に出射される。
【００６９】
次いで、クロスダイクロイックミラー２１によって、白色光がＢ光と黄色光成分の光とに分離され、Ｂ光は、偏光ビームスプリッタ２２ａに出射され、黄色光成分の光は、偏光ビームスプリッタ２２ｂに出射される。
【００７０】
さらに、偏光ビームスプリッタ２２ｂによって、黄色光成分の光が反射され、ダイクロイックミラー２３に出射される。
【００７１】
続いて、ダイクロイックミラー２３によって、黄色光成分の光がＲ光とＧ光とに分離され、Ｒ光は、偏光ビームスプリッタ２２ｃに出射され、Ｇ光は、偏光ビームスプリッタ２２ｄに出射される。
【００７２】
次いで、偏光ビームスプリッタ２２ｃによって、Ｒ光がＲ用液晶パネル２４に出射され、色相信号変換部１１２からのＲ用色相信号に基づいて光変調され、光変調されたＲ光は偏光ビームスプリッタ２２ｃを透過してクロスダイクロイックプリズム２７に出射される。ここで、コーナー画素２４ａ〜２４ｄからの基準光もクロスダイクロイックプリズム２７に出射される。
【００７３】
同様に、偏光ビームスプリッタ２２ｄによって、Ｇ光がＧ用液晶パネル２５に出射され、色相信号変換部１１２からのＧ用色相信号に基づいて光変調され、光変調されたＧ光は偏光ビームスプリッタ２２ｄを透過してクロスダイクロイックプリズム２７に出射される。ここで、コーナー画素２５ａ〜２５ｄからの基準光もクロスダイクロイックプリズム２７に出射される。
【００７４】
また、同様に、偏光ビームスプリッタ２２ｅによって、Ｂ光がＢ用液晶パネル２６に出射され、色相信号変換部１１２からのＢ用色相信号に基づいて光変調され、光変調されたＢ光は偏光ビームスプリッタ２２ｅを透過してクロスダイクロイックプリズム２７に出射される。ここで、コーナー画素２６ａ〜２６ｄからの基準光もクロスダイクロイックプリズム２７に出射される。
【００７５】
引き続き、クロスダイクロイックプリズム２７よって、Ｒ光、Ｇ光及びＢ光が合成され、色相変調光として結合用光学系１０１に出射される。
【００７６】
次いで、結合用光学系１０１によって、入射された色相変調光が拡大され、偏光ビームスプリッタ３１に出射される。
【００７７】
さらに、偏光ビームスプリッタ３１によって、色相変調光が反射され、モノクローム用液晶パネル３２に出射される。
【００７８】
一方、画像センサ３３によって、基準光が受光され、基準光の受光信号は位置ずれ検出部１１３に出力される。このとき、位置ずれ検出部１１３によって、光学ブロックの位置ずれが検出された場合は、位置ずれ量に応じた信号が位相補正部１１４に出力され、位相補正部１１４によって、色相信号の位相を補正する信号が色相信号変換部１１２に出力される。例えば、位置ずれ検出部１１３によって、４つの画像センサ３３が受光した基準光が４つとも水平左方向にＰ画素分移動したと検出された場合は、位相補正部１１４によって、Ｒ用液晶パネル２４、Ｇ用液晶パネル２５及びＢ用液晶パネル２６からの色相変調光がＰ画素分だけ水平右方向に移動するよう色相信号の水平位相が調整される。
【００７９】
引き続き、モノクローム用液晶パネル３２によって、輝度信号変換部１１１からの輝度信号に基づいて色相変調光が輝度変調され、偏光ビームスプリッタ３１を介して投射レンズ１０２に出射される。
【００８０】
そして、投射レンズ１０２によって、偏光ビームスプリッタ３１からの光がスクリーン１０３に照射され、スクリーン１０３上にカラー映像が表示される。
【００８１】
以上のように、本実施の形態に係る投射型表示装置１００によれば、第１の光学ブロック２０と第２の光学ブロック３０との間において光学的な位置ずれが生じた場合でも、位置ずれ検出部１１３が位置ずれを検出し、位相補正部１１４が色相信号の位相を補正する構成としたので、光学的な位置ずれによる表示画像の画質劣化を防止することができ、従来のものよりも表示画像の画質を向上させることができる。
【００８２】
また、本実施の形態に係る投射型表示装置１００は、前述の構成としたので、動作中においても光学的な位置ずれを調整することができる。
【００８３】
なお、前述の実施の形態において、コーナー画素２４ａ〜２４ｄ、２５ａ〜２５ｄ及び２６ａ〜２６ｄからの光を光学ブロックの位置ずれを補正するための基準光とする例を挙げて説明したが、本発明はこれに限定されるものではなく、例えば、コーナー画素２４ａ〜２４ｄからの光のみを基準光とする構成としても同様の効果が得られる。また、例えば、４つのコーナー画素２４ａ〜２４ｄのうち、コーナー画素２４ａからの光を基準光としてもよく、さらに、４つのコーナー画素２４ａ〜２４ｄの駆動を所定時間互いにずらし、１箇所ずつ順次駆動して基準光を生成する構成としても同様の効果が得られる。
【００８４】
また、前述の実施の形態において、偏光ビームスプリッタ３１の対向面３１ｂ上に画像センサ３３を設ける構成を例に挙げて説明したが、本発明はこれに限定されるものではなく、例えばモノクローム用液晶パネル３２の外縁の基準光を受光できる領域内に設ける構成としても同様の効果が得られる。
【００８５】
また、前述の実施の形態において、位相補正部１１４が色相信号の位相を補正する構成を例に挙げて説明したが、本発明はこれに限定されるものではなく、位相補正部１１４が輝度信号の位相を補正する構成としても同様の効果が得られる。
【００８６】
また、前述の実施の形態において、投射型表示装置を例に挙げて説明したが、本発明はこれに限定されるものではなく、例えばカラーの表示素子とモノクロームの表示素子とを組み合わせた直視型表示装置においても同様の効果が得られる。
【００８７】
また、前述の実施の形態において、本発明の位置調整装置を投射型表示装置に適用する例を挙げて説明したが、本発明はこれに限定されるものではなく、本発明の位置調整装置は、複数の光学ブロック間における光学ブロックの位置ずれを調整することができるものである。
【００８８】
（第２の実施の形態）
本発明の第２の実施の形態に係る投射型表示装置は、第１の実施の形態に係る投射型表示装置１００（図１参照）の第２の光学ブロック３０を図５に示された第２の光学ブロック４０に変更したものを備えている。したがって、本実施の形態に係る第２の光学ブロック４０以外のものは、投射型表示装置１００において付された符号と同一のもので構成されているものとし、その説明は省略する。
【００８９】
図５に示すように、本実施の形態に係る投射型表示装置の第２の光学ブロック４０は、入射された色相変調光をモノクローム用液晶パネル４２に出射する偏光ビームスプリッタ４１と、色相変調光を輝度変調するモノクローム用液晶パネル４２と、基準光を透過する透過部４３及び４４と、基準光を受光する画像センサ４５（４５ａ〜４５ｄを含む。）とを備えている。なお、図５において、画像センサ４５ｂ及び４５ｃの図示は省略している。
【００９０】
偏光ビームスプリッタ４１は、色相変調光が入射される入射面４１ａと、この入射面４１ａに直交しモノクローム用液晶パネル４２と対向する対向面４１ｂと、入射面４１ａに対向する入射対向面４１ｃと、色相変調光を反射してモノクローム用液晶パネル４２に入射させ、モノクローム用液晶パネル４２からの反射光を透過させる反射透過面４１ｄと、透過された反射光を出射する出射面４１ｅとを備えている。なお、図５において、反射透過面４１ｄで反射される光を実線で示し、反射透過面４１ｄを透過する光を破線で示している。
【００９１】
モノクローム用液晶パネル４２は、例えば反射型の液晶パネルで構成され、図示を省略したが、透過部４４に固定されている。なお、図５に示すように、モノクローム用液晶パネル４２に入射される光と反射される光とは偏光が異なっている。また、モノクローム用液晶パネル４２は、本発明の第２の光変調手段及びモノクローム液晶素子を構成している。
【００９２】
透過部４３及び４４は、例えばガラスやプラスチック等で構成され、それぞれ、偏光ビームスプリッタ４１の出射面４１ｅ及び対向面４１ｂの面上に設けられている。また、透過部４３及び４４は、それぞれ、基準光を入射する入射面４３ａ及び４４ａと、基準光を出射する出射面４３ｂ及び４４ｂとを有している。なお、透過部４３は、偏光ビームスプリッタ４１の出射面４１ｅの全面に渡る形状としてもよいし、画像センサ４５ｄ及び４５ｃ（図示省略）がそれぞれ受光する光を透過させる範囲に限定して分割した形状としてもよい。透過部４３についても同様である。
【００９３】
画像センサ４５は、例えばＣＣＤで構成されている。なお、画像センサ４５は、本発明の基準光受光部を構成している。
【００９４】
以上のように、本実施の形態に係る投射型表示装置によれば、２つの光学ブロック間において光学的な位置ずれが生じた場合でも、位置ずれ検出部１１３が位置ずれを検出し、位相補正部が色相信号の位相を補正する構成としたので、光学的な位置ずれによる表示画像の画質劣化を防止することができ、従来のものよりも表示画像の画質を向上させることができる。
【００９５】
また、本実施の形態に係る投射型表示装置は、前述の構成としたので、動作中においても光学的な位置ずれを調整することができる。
【００９６】
また、本実施の形態に係る投射型表示装置によれば、偏光ビームスプリッタ４１の入射対向面４１ｃ側に画像センサ４５を設ける構成としたので、偏光ビームスプリッタ４１の対向面４１ｂ側に画像センサ４５を設ける必要がなくなり、モノクローム用液晶パネル４２の設置の自由度を大きくすることができる。
【００９７】
（第３の実施の形態）
本発明の第３の実施の形態に係る投射型表示装置は、第２の実施の形態に係る投射型表示装置の第２の光学ブロック４０（図５参照）を図６に示された第２の光学ブロック５０に変更したものを備えている。したがって、本実施の形態に係る第２の光学ブロック５０以外のものは、第１の実施の形態に係る投射型表示装置１００（図１参照）において付された符号と同一のもので構成されているものとし、その説明は省略する。
【００９８】
図６に示すように、本実施の形態に係る投射型表示装置の第２の光学ブロック５０は、入射された色相変調光をモノクローム用液晶パネル５２に出射する偏光ビームスプリッタ５１と、色相変調光を輝度変調するモノクローム用液晶パネル５２と、基準光を入射して基準光の偏光を９０度回転する位相板５３（５３ａ〜５３ｄを含む。）と、基準光を受光する画像センサ５４（５４ａ〜５４ｄを含む。）とを備えている。なお、図６において、位相板５３ｂ及び５３ｃ、画像センサ５４ｂ及び５４ｃの図示は省略している。
【００９９】
偏光ビームスプリッタ５１は、色相変調光が入射される入射面５１ａと、この入射面５１ａに直交しモノクローム用液晶パネル５２と対向する対向面５１ｂと、入射面５１ａに対向する入射対向面５１ｃと、色相変調光を反射してモノクローム用液晶パネル５２に入射させ、モノクローム用液晶パネル５２からの反射光を透過させる反射透過面５１ｄと、透過された反射光を出射する出射面５１ｅとを備えている。なお、図６において、反射透過面５１ｄで反射される光を実線で示し、反射透過面５１ｄを透過する光を破線で示している。
【０１００】
モノクローム用液晶パネル５２は、例えば反射型の液晶パネルで構成され、図示を省略したが、偏光ビームスプリッタ５１の対向面５１ｂに固定されている。なお、図６に示すように、モノクローム用液晶パネル５２に入射される光と反射される光とは偏光が異なっている。また、モノクローム用液晶パネル５２は、本発明の第２の光変調手段及びモノクローム液晶素子を構成している。
【０１０１】
位相板５３は、偏光ビームスプリッタ５１の入射面５１ａ上に設けられ、基準光の偏光を９０度回転するようになっている。したがって、位相板５３から出射された光は、偏光ビームスプリッタ５１の反射透過面５１ｄを透過することとなる。
【０１０２】
画像センサ５４は、例えばＣＣＤで構成されており、画像センサ５４ａ〜５４ｄは、それぞれ、位相板５３ａ〜５３ｄに対応する入射対向面５１ｃ上に設けられている。なお、画像センサ５４は、本発明の基準光受光部を構成している。
【０１０３】
以上のように、本実施の形態に係る投射型表示装置によれば、２つの光学ブロック間において光学的な位置ずれが生じた場合でも、位置ずれ検出部１１３が位置ずれを検出し、位相補正部が色相信号の位相を補正する構成としたので、光学的な位置ずれによる表示画像の画質劣化を防止することができ、従来のものよりも表示画像の画質を向上させることができる。
【０１０４】
また、本実施の形態に係る投射型表示装置は、前述の構成としたので、動作中においても光学的な位置ずれを調整することができる。
【０１０５】
また、本実施の形態に係る投射型表示装置によれば、偏光ビームスプリッタ５１の入射対向面５１ｃ上に画像センサ５４を設ける構成としたので、偏光ビームスプリッタ５１の対向面５１ｂ側に画像センサ５４を設ける必要がなくなり、モノクローム用液晶パネル５２の設置の自由度を大きくすることができる。
【０１０６】
（第４の実施の形態）
本発明の第４の実施の形態に係る投射型表示装置は、第１の実施の形態に係る投射型表示装置１００（図１参照）において第１の光変調手段及び基準光出射手段の構成を変更したものである。したがって、本実施の形態に係る第１の光変調手段及び基準光出射手段以外のものは、投射型表示装置１００において付された符号と同一のもので構成されているものとし、その説明は省略する。なお、以下の説明において、第１の光変調手段としてＧ用液晶パネルを例に挙げて説明するが、Ｒ用液晶パネル及びＢ用液晶パネルも同様な構成としてもよい。
【０１０７】
図７に示すように、本実施の形態に係る投射型表示装置の第１の光学ブロック２０に含まれるＧ用液晶パネル６０は、Ｇ光の変調光を出射する変調光出射部６１と、変調光出射部６１の外縁領域６２に設けられた反射部６３（６３ａ〜６３ｄを含む。）とを備えている。
【０１０８】
反射部６３は、例えば鏡により構成され、入射光を反射するようになっている。なお、反射部６３は、本発明の基準光出射手段を構成している。
【０１０９】
また、図８に示すように、本実施の形態に係る投射型表示装置のＧ用液晶パネル６０は、偏光ビームスプリッタ６５を介して入射光であるＧ光を入射し、色相変調光を出射するようになっている。
【０１１０】
偏光ビームスプリッタ６５は、入射光が入射される入射面６５ａと、この入射面６５ａに直交しＧ用液晶パネル６０と対向する対向面６５ｂと、入射面６５ａに対向する入射対向面６５ｃと、入射光を反射してＧ用液晶パネル６０の変調光出射部６１に入射させ、変調光出射部６１からの反射光を透過させる反射透過面６５ｄと、透過された反射光を出射する出射面６５ｅとを備えている。なお、図８において、反射透過面６５ｄで反射される光を実線で示し、反射透過面６５ｄを透過する光を破線で示している。
【０１１１】
Ｇ用液晶パネル６０は、例えば反射型の液晶パネルで構成され、図示を省略したが、偏光ビームスプリッタ６５の対向面６５ｂに固定されている。なお、図８に示すように、Ｇ用液晶パネル６０に入射される光と反射される光とは偏光が異なっている。また、Ｇ用液晶パネル６０は、本発明の第１の光変調手段及びカラー液晶素子を構成している。
【０１１２】
位相板６４（６４ａ〜６４ｄを含む。）は、偏光ビームスプリッタ６５の対向面６５ｂ上に設けられ、反射透過面６５ｄによって反射された入射光の偏光を４５度回転して反射部６３に入射し、反射部６３から反射された反射光の偏光を４５度回転して反射透過面６５ｄを透過させるようになっている。なお、図８において、位相板６４ｃ及び６４ｄの図示は省略している。また、位相板６４は、本発明の基準光出射手段を構成している。
【０１１３】
本実施の形態に係る投射型表示装置は、前述のように構成されているので、反射透過面６５ｄによって反射された入射光を反射部６３で反射させ、この反射光を基準光とすることができる。
【０１１４】
以上のように、本実施の形態に係る投射型表示装置によれば、２つの光学ブロック間において光学的な位置ずれが生じた場合でも、位置ずれ検出部１１３が位置ずれを検出し、位相補正部が色相信号の位相を補正する構成としたので、光学的な位置ずれによる表示画像の画質劣化を防止することができ、従来のものよりも表示画像の画質を向上させることができる。
【０１１５】
また、本実施の形態に係る投射型表示装置は、前述の構成としたので、動作中においても光学的な位置ずれを調整することができる。
【０１１６】
また、本実施の形態に係る投射型表示装置によれば、偏光ビームスプリッタ６５の対向面６５ｂ上に位相板６４を設け、Ｇ用液晶パネル６０の変調光出射部６１の外縁領域６２に反射部６３を設けて、入射光を基準光とする構成としたので、Ｇ用液晶パネル６０の変調光出射部６１からの光を基準光とする場合よりも光の利用効率を向上することができる。
【０１１７】
（第５の実施の形態）
本発明の第５の実施の形態に係る投射型表示装置は、第４の実施の形態（図８参照）に係る投射型表示装置の一部の構成を変更したものである。したがって、本実施の形態に係る新たな構成以外のものは、投射型表示装置１００（図１参照）において付された符号と同一のもので構成されているものとし、その説明は省略する。なお、以下の説明において、第１の光変調手段としてＧ用液晶パネルを例に挙げて説明するが、Ｒ用液晶パネル及びＢ用液晶パネルも同様な構成としてもよい。
【０１１８】
図９に示すように、本実施の形態に係る投射型表示装置の第１の光学ブロック２０に含まれるＧ用液晶パネル６０は、Ｇ光の変調光を出射する変調光出射部６１を備えている。
【０１１９】
また、図９に示すように、本実施の形態に係る投射型表示装置のＧ用液晶パネル６０は、偏光ビームスプリッタ６５を介して入射光を入射し、色相変調光を出射するようになっている。
【０１２０】
偏光ビームスプリッタ６５は、入射光が入射される入射面６５ａと、この入射面６５ａに直交しＧ用液晶パネル６０と対向する対向面６５ｂと、入射面６５ａに対向する入射対向面６５ｃと、入射光を反射してＧ用液晶パネル６０の変調光出射部６１に入射させ、変調光出射部６１からの反射光を透過させる反射透過面６５ｄと、調光出射部６１からの反射光を出射する出射面６５ｅとを備えている。なお、図８において、反射透過面６５ｄで反射される光を実線で示し、反射透過面６５ｄを透過する光を破線で示している。
【０１２１】
Ｇ用液晶パネル６０は、例えば反射型の液晶パネルで構成され、図示を省略したが、偏光ビームスプリッタ６５の対向面６５ｂに固定されている。なお、図９に示すように、Ｇ用液晶パネル６０に入射される光と反射される光とは偏光が異なっている。また、Ｇ用液晶パネル６０は、本発明の第１の光変調手段及びカラー液晶素子を構成している。
【０１２２】
偏光ビームスプリッタ６５の入射面６５ａ上には位相板６６（６６ａ〜６６ｄを含む。）が設けられ、入射対向面６５ｃ側には、反射部６３（６３ａ〜６３ｄを含む。）及び位相板６４（６４ａ〜６４ｄを含む。）が設けられている。なお、図９において、反射部６３ｃ及び６３ｄ、位相板６４ｃ及び６４ｄ、位相板６６ｃ及び６６ｄの図示は省略している。
【０１２３】
位相板６６は、入射光の偏光を９０度回転して反射透過面６５ｄを透過させるようになっている。
【０１２４】
位相板６４は、反射透過面６５ｄによって透過された入射光の偏光を４５度回転して反射部６３に入射し、反射部６３から反射された反射光の偏光を４５度回転して反射透過面６５ｄに出射するようになっている。この光は、反射透過面６５ｄによって反射され、基準光として第２の光学ブロックに入射される。
【０１２５】
反射部６３は、例えば鏡により構成され、位相板６４からの光を反射するようになっている。
【０１２６】
なお、反射部６３、位相板６４及び位相板６６は、本発明の基準光出射手段を構成している。また、位相板６６は、本発明の第１の位相板を構成している。また、位相板６４は、本発明の第２の位相板を構成している。
【０１２７】
次に、本実施の形態に係る投射型表示装置の第２の光学ブロックの構成について説明する。
【０１２８】
図１０に示すように、本実施の形態に係る投射型表示装置の第２の光学ブロック７０は、入射された色相変調光をモノクローム用液晶パネル７２に出射する偏光ビームスプリッタ７１と、色相変調光を輝度変調するモノクローム用液晶パネル７２と、基準光を受光する画像センサ７３（７３ａ〜７３ｄを含む。）とを備えている。なお、図１０において、画像センサ７３ｂ及び７３ｃの図示は省略している。
【０１２９】
偏光ビームスプリッタ７１は、色相変調光及び基準光が入射される入射面７１ａと、この入射面７１ａに直交しモノクローム用液晶パネル７２と対向する対向面７１ｂと、入射面７１ａに対向する入射対向面７１ｃと、色相変調光を反射してモノクローム用液晶パネル７２に入射させ、モノクローム用液晶パネル７２からの反射光を透過させる反射透過面７１ｄと、透過された反射光を出射する出射面７１ｅとを備えている。なお、図１０において、実線で示す光と破線で示す光は、偏光が互いに異なることを表している。
【０１３０】
モノクローム用液晶パネル７２は、例えば反射型の液晶パネルで構成され、図示を省略したが、偏光ビームスプリッタ７１の対向面７１ｂに固定されている。なお、図１０に示すように、モノクローム用液晶パネル７２に入射される光と反射される光とは偏光が異なっている。また、モノクローム用液晶パネル７２は、本発明の第２の光変調手段及びモノクローム液晶素子を構成している。
【０１３１】
以上のように、本実施の形態に係る投射型表示装置によれば、２つの光学ブロック間において光学的な位置ずれが生じた場合でも、位置ずれ検出部１１３が位置ずれを検出し、位相補正部が色相信号の位相を補正する構成としたので、光学的な位置ずれによる表示画像の画質劣化を防止することができ、従来のものよりも表示画像の画質を向上させることができる。
【０１３２】
また、本実施の形態に係る投射型表示装置は、前述の構成としたので、動作中においても光学的な位置ずれを調整することができる。
【０１３３】
また、本実施の形態に係る投射型表示装置によれば、偏光ビームスプリッタ６５の入射対向面６５ｃ側に反射部６３を設け、反射透過面６５ｄを透過した入射光を基準光とする構成としたので、偏光ビームスプリッタ６５の対向面６５ｂ側に反射部６３を設ける必要がなくなり、Ｇ用液晶パネル６０の設置の自由度を大きくすることができる。
【産業上の利用可能性】
【０１３４】
以上のように、本発明に係る表示装置は、従来のものよりも表示画像の画質を向上させることができるという効果を有し、カラーの表示素子とモノクロームの表示素子とを組み合わせた際に生じる光学的な位置ずれを調整する位置調整装置及びそれを備えた表示装置等として有用である。
【図面の簡単な説明】
【０１３５】
【図１】本発明の第１の実施の形態に係る投射型表示装置の構成を示す概念図
【図２】本発明の第１の実施の形態に係る投射型表示装置において、色相変調光の照射領域と、モノクローム用液晶パネルの受光面を対向面に投影した投影領域との関係を示す図
【図３】本発明の第１の実施の形態に係る投射型表示装置において、基準光が生成されるコーナー画素を示す図
【図４】本発明の第１の実施の形態に係る投射型表示装置において、基準光を受光する画像センサを示す図
【図５】本発明の第２の実施の形態に係る投射型表示装置の第２の光学ブロックを示す図
【図６】本発明の第３の実施の形態に係る投射型表示装置の第２の光学ブロックを示す図
【図７】本発明の第４の実施の形態に係る投射型表示装置の第１の光学ブロックに含まれるＧ用液晶パネルを示す図
【図８】本発明の第４の実施の形態に係る投射型表示装置の第１の光学ブロックに含まれるＧ用液晶パネル周辺の構成を示す図
【図９】本発明の第５の実施の形態に係る投射型表示装置の第１の光学ブロックに含まれるＧ用液晶パネル周辺の構成を示す図
【図１０】本発明の第５の実施の形態に係る投射型表示装置の第２の光学ブロックを示す図
【図１１】従来の投射型表示装置の構成を示す図
【符号の説明】
【０１３６】
１０  光源
２０  第１の光学ブロック
２１  クロスダイクロイックミラー
２２（２２ａ〜２２ｅ）  偏光ビームスプリッタ
２３  ダイクロイックミラー
２４  Ｒ用液晶パネル（第１の光変調手段、カラー液晶素子）
２４ａ〜２４ｄ  コーナー画素（基準光出射手段）
２５、６０  Ｇ用液晶パネル（第１の光変調手段、カラー液晶素子）
２５ａ〜２５ｄ  コーナー画素（基準光出射手段）
２６  Ｂ用液晶パネル（第１の光変調手段、カラー液晶素子）
２６ａ〜２６ｄ  コーナー画素（基準光出射手段）
２７  クロスダイクロイックプリズム
３０、４０、５０、７０  第２の光学ブロック
３１  偏光ビームスプリッタ
３１ａ  入射面
３１ｂ  対向面
３１ｃ  入射対向面
３１ｄ  反射透過面
３１ｅ  出射面
３２、４２、５２、７２  モノクローム用液晶パネル（第２の光変調手段、モノクローム液晶素子）
３３（３３ａ〜３３ｄ）  画像センサ（基準光受光部、位置調整手段）
３５  色相変調光の照射領域
３６  モノクローム用液晶パネルの投影領域
４１  偏光ビームスプリッタ
４１ａ  入射面
４１ｂ  対向面
４１ｃ  入射対向面
４１ｄ  反射透過面
４１ｅ  出射面
４３、４４  透過部
４３ａ、４４ａ  入射面
４３ｂ、４４ｂ  出射面
４５（４５ａ〜４５ｄ）  画像センサ（基準光受光部、位置調整手段）
５１  偏光ビームスプリッタ
５１ａ  入射面
５１ｂ  対向面
５１ｃ  入射対向面
５１ｄ  反射透過面
５１ｅ  出射面
５３（５３ａ〜５３ｄ）  位相板
５４（５４ａ〜５４ｄ）  画像センサ（基準光受光部、位置調整手段）
６１  変調光出射部
６２  外縁領域
６３  反射部（基準光出射手段）
６４（６４ａ〜６４ｄ）  位相板（基準光出射手段）
６５  偏光ビームスプリッタ
６５ａ  入射面
６５ｂ  対向面
６５ｃ  入射対向面
６５ｄ  反射透過面
６５ｅ  出射面
６６（６６ａ〜６６ｄ）  位相板（基準光出射手段）
７１  偏光ビームスプリッタ
７１ａ  入射面
７１ｂ  対向面
７１ｃ  入射対向面
７１ｄ  反射透過面
７１ｅ  出射面
７３（７３ａ〜７３ｄ）  画像センサ（基準光受光部、位置調整手段）
１００  投射型表示装置
１０１  結合用光学系
１０２  投射レンズ
１０３  スクリーン
１１０  信号制御部
１１１  輝度信号変換部
１１２  色相信号変換部
１１３  位置ずれ検出部（位置調整手段、位置調整部）
１１４  位相補正部（位置調整手段、位置調整部）
【図１】
0004829646.tif 000002
【図２】
0004829646.tif 000003
【図３】
0004829646.tif 000004
【図４】
0004829646.tif 000005
【図５】
0004829646.tif 000006
【図６】
0004829646.tif 000007
【図７】
0004829646.tif 000008
【図８】
0004829646.tif 000009
【図９】
0004829646.tif 000010
【図１０】
0004829646.tif 000011
【図１１】
0004829646.tif 000012